(57)【要約】【課題】糸付き球を用いた不正行為を簡単な構成で確実に防止できるパチンコ機を提供すること。【解決手段】発射装置２３により発射された遊技球が発射案内通路３４を通って遊技領域８へ打ち出され、この発射案内通路３４の出口に球戻り防止部材４１が回動可能に軸支されているパチンコ機Ｐにおいて、球戻り防止部材４１に開閉弁４１ａと錘部４１ｂおよび規制弁４１ｃを設け、開閉弁４１ａが発射案内通路３４の出口を閉鎖する位置に回動復帰しているとき、規制弁４１ｃを発射案内通路３４から退去する姿勢に保持し、糸付き球Ｂ１が遊技領域８へ打ち出されたとき、球戻り防止部材４１の回動に伴って規制弁４１ｃを発射案内通路３４の内部に突出させると共に、糸付き球Ｂ１に繋がれた紐状体４５が開閉弁４１ａの先端に引っ掛かることにより、この状態を維持して後続球の通過を規制弁４１ｃで阻止するようにした。【選択図】図１２
2014217619.tif 000002
【特許請求の範囲】
【請求項１】
遊技球を発射する発射手段と、この発射手段により発射された遊技球を遊技領域へ案内する発射案内通路と、この発射案内通路の出口に延在するベース部材に回動可能に軸支された球戻り防止部材とを備え、この球戻り防止部材が前記出口を開放する方向へ回動することで前記遊技領域への遊技球の流入を許可すると共に、前記球戻り防止部材が前記出口を閉鎖する方向へ回動復帰することで前記発射案内通路への遊技球の戻りを阻止するようにしたパチンコ機において、
前記球戻り防止部材は、前記発射案内通路の出口を開閉する開閉弁と、この開閉弁を閉鎖方向へ付勢する錘部と、前記開閉弁と一体的に回動して前記発射案内通路内に出入する規制弁とを有しており、
前記開閉弁が前記発射案内通路の出口を閉鎖する位置に回動復帰しているとき、前記規制弁は前記発射案内通路から退去する位置にあり、
前記開閉弁が前記発射案内通路の出口を開放する位置まで回動したとき、前記規制弁は前記開閉弁よりも後方位置で前記発射案内通路の内部に突出するようにしたことを特徴とするパチンコ機。
【請求項２】
請求項１の記載において、前記規制弁に先端側を開放した切欠き溝が形成されていることを特徴とするパチンコ機。
【請求項３】
請求項１または２の記載において、前記開閉弁の先端側に幅方向の中央部に向かって窄まる一対のテーパが付けられていると共に、これらテーパの間に凹部が形成されていることを特徴とするパチンコ機。
【発明の詳細な説明】
【技術分野】
【０００１】
本発明は、遊技球を用いて遊技を行うパチンコ機に関するものである。
【背景技術】
【０００２】
一般的にパチンコ機は、透明なガラス板を有する前面扉によって覆われた遊技盤を備えており、この遊技盤の前面（盤面）に形成された遊技領域に向けて発射装置から遊技球が打ち出されるようになっている。遊技盤には、発射装置から発射された遊技球を遊技領域の上部側に案内する外レールと、遊技領域の周壁の大部分を規定する内レールとが設けられており、これら外レールと内レールとで挟まれた空間部分が発射案内通路となっている。そして、発射案内通路の出口付近には球戻り防止部材が設けられており、この球戻り防止部材によって遊技球の発射案内通路側への逆流を防止している。
【０００３】
このようなパチンコ機においては、種々な方法によって遊技球を不正に搾取するゴト行為が多発しており、その手口も日を追うごとに巧妙になってきている。一例を挙げると、遊技球に紐状体を接着した糸付き球と呼ばれる不正球を作成し、紐状体を手で持ったまま不正球を発射装置に装填して遊技領域内に打ち出した後、手に持った紐状体を操作することにより、遊技領域内に到達した糸付き球を自在に操る「糸ゴト」と呼ばれる不正行為が問題となっている。かかる「糸ゴト」行為は、糸付き球が遊技領域内に到達すると、遊技球に繋がる紐状体が球戻り防止部材の先端部に引っ掛かった状態となるため、球戻り防止部材の先端部を支点として紐状体を操作することによって、糸付き球を遊技領域に配設された始動入賞口や一般始動入賞口へ導くことができる。
【０００４】
そこで従来より、このような「糸ゴト」行為を阻止するために、球戻り防止部材の先端部に切断刃を設け、糸付き球が遊技領域内に到達した場合に、糸付き球に繋がれた紐状体を切断刃の刃先に引っ掛けた状態とすることにより、紐状体を切断刃で切断するようしたパチンコ機が提案されている（例えば、特許文献１参照）。この従来例では、糸付き球に繋がれた紐状体が球戻り防止部材の切断刃に引っ掛かった状態にあるとき、不正行為を行う者が糸付き球を始動入賞口等に入賞させようとして、パチンコ機の外部から紐状体を緊張／弛緩するように操作すると、紐状体が切断刃に繰り返し加わる応力によって切断されてしまうため、糸付き球を自在に操ることができなくなる。
【先行技術文献】
【特許文献】
【０００５】
【特許文献１】特開２０１２−１２０６９７号公報
【発明の概要】
【発明が解決しようとする課題】
【０００６】
特許文献１に開示された従来のパチンコ機は、糸付き球に繋がれた紐状体が球戻り防止部材に設けた切断刃に引っ掛かった状態にあるとき、この紐状体を切断刃に繰り返し加わる応力によって切断するようにしているため、紐状体の素材として綿のように切れやすいものが使用された場合は、比較的簡単に紐状体を切断して「糸ゴト」行為を阻止することができる。しかしながら、釣り糸のように丈夫な紐状体が使用されると、切断刃によって紐状体を切断することが非常に難しくなり、その場合は糸付き球を用いた不正行為を阻止することができなくなる。
【０００７】
本発明は、このような従来技術の実情に鑑みてなされたもので、その目的は、糸付き球を用いた不正行為を簡単な構成で確実に防止できるパチンコ機を提供することにある。
【課題を解決するための手段】
【０００８】
上記の目的を達成するために、本発明は、遊技球を発射する発射手段と、この発射手段により発射された遊技球を遊技領域へ案内する発射案内通路と、この発射案内通路の出口に延在するベース部材に回動可能に軸支された球戻り防止部材とを備え、この球戻り防止部材が前記出口を開放する方向へ回動することで前記遊技領域への遊技球の流入を許可すると共に、前記球戻り防止部材が前記出口を閉鎖する方向へ回動復帰することで前記発射案内通路への遊技球の戻りを阻止するようにしたパチンコ機において、前記球戻り防止部材は、前記発射案内通路の出口を開閉する開閉弁と、この開閉弁を閉鎖方向へ付勢する錘部と、前記開閉弁と一体的に回動して前記発射案内通路内に出入する規制弁とを有しており、前記開閉弁が前記発射案内通路の出口を閉鎖する位置に回動復帰しているとき、前記規制弁は前記発射案内通路から退去する位置にあり、前記開閉弁が前記発射案内通路の出口を開放する位置まで回動したとき、前記規制弁は前記開閉弁よりも後方位置で前記発射案内通路の内部に突出するようにした。
【０００９】
このように構成されたパチンコ機において、常態では、球戻り防止部材は開閉弁を発射案内通路の出口に対峙させた姿勢で停止しており、規制弁は球経路の下流側で発射案内通路から退去する位置に保持されている。この状態で発射装置から正規の遊技球が遊技領域に向けて発射されると、遊技球は発射案内通路を上昇しながら規制弁を通過して開閉弁に接触した後、その接触力で開閉弁を押し退けて遊技領域内に進入するため、球戻り防止部材は開閉弁が発射案内通路の出口を開放する方向へ回動し、それに連動して規制弁が発射案内通路の内部に突出する。このようにして遊技球が遊技領域内に打ち出されると、球戻り防止部材は開閉弁を発射案内通路の出口に対峙させた姿勢に回動復帰するため、遊技領域から発射案内通路側へ向かう遊技球の戻り動作が開閉弁によって阻止される。
【００１０】
一方、紐状体が接着された遊技球（糸付き球）を用いた場合、発射装置から糸付き球が遊技領域に向けて発射されると、正規の遊技球と同様に、糸付き球は発射案内通路を上昇しながら規制弁を通過して球戻り防止部材の開閉弁に接触した後、その接触力で開閉弁を押し退けて遊技領域内に進入する。その際、糸付き球に繋がれた紐状体が開閉弁の先端に引っ掛かるため、球戻り防止部材は糸付き球の自重を受けて開放状態を維持し、規制弁は発射案内通路の内部に突出したままとなる。これにより、糸付き球が遊技領域内に打ち出されると、その後に発射装置から発射される遊技球は発射案内通路の出口の手前側で規制弁に衝突してしまい、後続球を遊技領域内に打ち出すことができなくなる。すなわち、遊技球が遊技領域のアウト口から排出されない状態を作り出すことができるため、この状態で糸付き球を操って始動入賞口や一般始動入賞口に入賞させたとしても、これを不正入賞であると容易に不正行為を発見することが可能になり、糸付き球を用いて大量の賞球を獲得するという不正行為を実質的に無効とすることができる。
【００１１】
上記の構成において、規制弁に先端側を開放した切欠き溝が形成されていると、開閉弁の先端に引っ掛かった紐状体は切欠き溝の底部に接触した状態となり、紐状体と規制弁との接触箇所が切欠き溝の溝深さ分だけ球戻り防止部材の回動中心に近づくため、紐状体からの引張力による規制弁の戻り動作を確実に防止することができて好ましい。
【００１２】
また、上記の構成において、開閉弁の先端側に幅方向の中央部に向かって窄まる一対のテーパが付けられていると共に、これらテーパの間に凹部が形成されていると、糸付き球が球戻り防止部材の開閉弁を押し退けて遊技領域内に到達した場合に、紐状体がテーパでガイドされて凹部内に位置決めされるため、紐状体の開閉弁からの脱落を確実に防止することができて好ましい。
【発明の効果】
【００１３】
本発明のパチンコ機は、紐状体が接続された遊技球（糸付き球）を遊技領域に向けて発射すると、紐状体が球戻り防止部材の開閉弁の先端に引っ掛かることにより、規制弁が発射案内通路の内部に突出して後続球の通過を阻止する状態に維持されるため、糸付き球を用いた不正行為を簡単な構成で確実に防止することができる。
【図面の簡単な説明】
【００１４】
【図１】本発明の実施形態例に係るパチンコ機の外観斜視図である。
【図２】該パチンコ機の前面扉を開けた状態の外観斜視図である。
【図３】該パチンコ機の背面図である。
【図４】該パチンコ機に備えられる遊技盤の要部を示す正面図である。
【図５】図４に示す遊技盤に設けられた規制レールの斜視図である。
【図６】図５に示す規制レールの上端に設けられた球戻り防止機構の分解斜視図である。
【図７】図６の球戻り防止機構に備えられる球戻り防止部材の斜視図である。
【図８】該球戻り防止部材を図７の矢印Ａ方向から見た説明図である。
【図９】該球戻り防止部材を図７の矢印Ｂ方向から見た説明図である。
【図１０】該球戻り防止部材を図７の矢印Ｃ方向から見た説明図である。
【図１１】正規の遊技球を用いたときの該球戻り防止機構の動作説明図である。
【図１２】糸付き球を用いたときの該球戻り防止機構の動作説明図である。
【発明を実施するための形態】
【００１５】
発明の実施の形態について図面を参照して説明すると、図１に示すように、本実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１６】
図２に示すように、機枠１の左側枠部には上側軸受け体５ａと下側軸受け体５ｂが固着されており、この下側軸受け体５ｂよりも下方の左下隅部には大型のスピーカ６が配設されている。一方、本体枠２の左側枠部の上下両端には第１ピン（図示せず）が設けられており、これら両第１ピンが対応する上下の軸受け体５ａ，５ｂに軸支されることにより、本体枠２は機枠１に対して開閉自在となっている。
【００１７】
本体枠２の上部内側には遊技盤７が収納されており、この遊技盤７の盤面（前面）は透明板４を透して目視可能となっている。遊技盤７はその盤面に遊技領域８を有しており、遊技領域８は前面扉３の透明板４を透して外部から目視可能となっている。遊技領域８はガイドレール９と規制レール１０によって略円形状に区画形成されており、この遊技領域８内を後述する発射装置２３から打ち出された遊技球が流下する。また、遊技領域８内には、表示装置２４ａを有する可変表示ユニット２４と、一対の始動入賞口２５，２６と、複数の一般入賞口２７と、通過ゲートであるスルーチャッカー２８と、大入賞口を有するアタッカー装置２９等が設けられており、図示せぬが、これら始動入賞口２５，２６と一般入賞口２７および大入賞口の内部には遊技球の通過を検知するための検知センサが設けられている。
【００１８】
遊技領域８内に設けられた上記各部材について簡単に説明すると、可変表示ユニット２４の下側にはステージ３０が設けられており、一対の始動入賞口２５，２６はステージ３０の真下位置に上下２段に積層状態で配置されている。上段側の始動入賞口２５は可動片を持たない非作動式の入賞口であるが、下段側の始動入賞口２６は一対の可動片を有する作動式（電動チューリップ構造）の入賞口となっている。そして、これら始動入賞口２５，２６のいずれか一方に遊技球が入ると、それを契機として特別図柄表示の電子抽選が行われ、表示装置２４ａの表示画面上で演出用図柄の変動表示および停止表示が行われる。また、スルーチャッカー２８を遊技球が通過したことを契機として普通図柄表示の電子抽選が行われ、その抽選結果が当たりの場合に始動入賞口２６の可動片を一時的に開放して遊技球の入球を許可するようになっている。
【００１９】
アタッカー装置２９は、始動入賞口２５，２６に遊技球が入ることを契機に行われる特別図柄表示の電子抽選の結果、当たりとなって大当たり遊技状態へ移行した場合に作動される装置である。具体的には、特別図柄表示の抽選結果が当たりの場合、可変表示ユニット２４の表示装置２４ａの表示画面上で演出用図柄の変動停止を例えば「７７７」のように特別図柄で停止させると共に、アタッカー装置２９が複数回繰り返し開放動作して内部の大入賞口を露呈させる。アタッカー装置２９は１回の開放動作について例えば３０秒経過するまで、あるいは遊技球が大入賞口に例えば１０個入るまで開放状態を維持し、かかる開放動作を例えば１５回繰り返した後に大当たりが終了する。なお、始動入賞口２５，２６に遊技球が入ると、特別図柄表示の抽選結果が行われると共に、所定個数の遊技球が賞球として遊技者に払い出されるが、一般入賞口２７に遊技球が入った場合には所定個数の遊技球の払い出しのみが行われる。そして、いずれの始動入賞口２５，２６や一般入賞口２７にも入らなかった遊技球は、遊技領域８の最下端部に設けられたアウト口３１から遊技盤７の裏面側に排出されるようになっている。
【００２０】
遊技盤７よりも下方に位置する本体枠２は前面扉３の下部によって覆い隠される設置部２ａとなっており、この設置部２ａ内の下部中央には遊技球を遊技領域８に向けて発射する発射装置２３が配設されている。この発射装置２３は遊技球を打撃するハンマ２３ａを有しており、ハンマ２３ａはロータリソレノイド等を駆動源として回転動作（揺動）される。また、本体枠２の右側枠部にはシリンダ錠１１ａを有する施錠装置１１が設置されており、図示省略されているが、この施錠装置１１は本体枠２の裏面に配置された後部施錠杆と本体枠２の前面に配置された前部施錠杆とを備えている。常態では、施錠装置１１の後部施錠杆によって機枠１に対して本体枠２が施錠されると共に、前部施錠杆によって本体枠２に対して前面扉３が施錠されている。そして、シリンダ錠１１ａの鍵穴に図示せぬ鍵を差し込み、この鍵を一方向（例えば時計回り）へ回動すると、後部施錠杆が下動して本体枠２が開錠されるようになっている。また、シリンダ錠１１ａの鍵穴に差し込んだ鍵を他方向（反時計回り）へ回動すると、前部施錠杆が上動して前面扉３が開錠されるようになっている。
【００２１】
前面扉３の左側枠部の上下両端には第２ピン（図示せず）が設けられており、これら両第２ピンを本体枠２の上下の軸孔（図示せず）に挿入することにより、前面扉３は本体枠２に対して開閉自在となっている。図１に戻り、前面扉３には遊技盤７の盤面に対向する大きな開口３ａが開設されており、この開口３ａは透明板４によって塞がれている。前面扉３の上部には比較的小型のスピーカ１２が左右に１個ずつ配設されており、これらスピーカ１２と前述した大型のスピーカ６とによって遊技に関する様々な効果音を発するようになっている。また、前面扉３の下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１２の右側方には発射装置２３の発射強度を調整するための操作ハンドル１６が配設されている。
【００２２】
図３に示すように、このパチンコ機Ｐの背面側には、遊技に関する主要な処理を行う主制御処理部１７と、主制御処理部１７からの指令を受けて表示装置やスピーカ等の各種装置を制御する副制御処理部１８と、上段受皿１３に対して所定数の遊技球を賞球として払い出す賞球払出装置１９と、主制御処理部１７からの指令を受けて賞球払出装置１９を制御する払出制御処理部２０と、操作ハンドル１６の回動操作量に応じて発射装置２３の作動を制御する発射制御処理部２１と、賞球数や大当たり回数等の各種情報を遊技場のホールコンピュータに出力する外部端子基板２２等が設けられている。主制御処理部１７は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２３】
図４に示すように、遊技盤７の遊技領域８よりも左側には、発射装置２３から発射された遊技球を遊技領域８の上部側に案内する外レール３２と、規制レール１０の外周面に沿って延びる内レール３３とが設けられており、これら外レール３２と内レール３３とで挟まれた空間部分が発射案内通路３４となっている。なお、図４において、遊技領域８内に設けられた可変表示ユニット２４（表示装置２４ａ）や始動入賞口２５，２６等は図示省略されている。外レール３２はアウト口３１から離れた左側位置から遊技盤７の左側端および上端部を経て円弧状に配置されており、外レール３２の上端側はガイドレール９に連続している。内レール３３はアウト口３１のやや左側位置から遊技盤７の上端部にかけて円弧状に配置されており、発射案内通路３４の上端部には遊技領域８から遊技球が戻るのを阻止する球戻り防止機構３５が配設されている。
【００２４】
図２に戻り、遊技盤７よりも下方の設置部２ａには発射レール３６が設けられており、この発射レール３６は発射案内通路３４に向かって上り勾配で傾斜している。一方、前面扉３の裏面側には上段受皿１３に連通する整流器３７が突設されており、本体枠２に対して前面扉３が施錠された状態において、整流器３７の出口である供給口３７ａが発射レール３６の右端最下部に位置するようになっている。これにより、上段受皿１３に貯留された遊技球は整流器３７で整流された状態で供給口３７ａから発射レール３６へ１個ずつ供給され、この発射レール３６に保持された遊技球が発射装置２３のハンマ２３ａの打撃によって発射案内通路３４の方向へ発射される。また、発射レール３６から発射案内通路３４に至る空間の下部はファール球回収路３８となっており、本体枠２に対して前面扉３が施錠された状態において、下段受皿１４から前面扉３の裏面側に突出する球回収部１４ａがファール球回収路３８の最下部に位置するようになっている。
【００２５】
次に、前述した球戻り防止機構３５を図５〜図１２に基づいて詳しく説明する。図５に示すように、この球戻り防止機構３５は、規制レール１０の上端部に一体形成された本体ケース３９と、本体ケース３９に一体化されたカバー４０と、本体ケース３９とカバー４０に回動可能に支持された球戻り防止部材４１とによって主に構成されており、これら本体ケース３９とカバー４０および球戻り防止部材４１はいずれも合成樹脂材料からなる成形品である。
【００２６】
図６に示すように、本体ケース３９は、規制レール１０から略同一幅で連続して遊技領域８側へ膨出する底板部３９ａと、底板部３９ａの幅方向の一端部から起立して遊技盤７の盤面に沿って延びる側板部３９ｂとを有し、これら底板部３９ａと側板部３９ｂで囲まれた空間が切欠き部Ｓ１となっている。すなわち、本体ケース３９には、透明板４に対向する前面側と発射案内通路３４に対向する上面側を開放する切欠き部Ｓ１が形成されており、この切欠き部Ｓ１の上部開口端がストッパ壁３９ｃとなっている。このストッパ壁３９ｃは底板部３９ａの上端部を幅方向に横切る壁面であり、底板部３９ａの上端部を円柱形状に厚肉形成することでストッパ壁３９ｃの機械的強度が高められている。
【００２７】
本体ケース３９の側板部３９ｂには軸受部３９ｄとガイド孔３９ｅが形成されており、ガイド孔３９ｅは軸受部３９ｄを中心とする仮想円に沿って円弧状に延びている。また、側板部３９ｂの裏面には突起３９ｆが形成されており、図示していないが、規制レール１０の裏面にも同様の突起が形成されている。そして、これら突起３９ｆを遊技盤７の位置決め孔（図示せず）に挿入することにより、本体ケース３９と規制レール１０が遊技盤７の所定位置に取り付けられるようになっている。
【００２８】
カバー４０は取付孔４０ａを有する板状体であり、その内面に軸受部４０ｂが形成されている。このカバー４０は、ネジ４２を取付孔４０ａに挿入してストッパ壁３９ｂの端面に螺着することにより、切欠き部Ｓ１の前面側の開口を塞いだ状態で本体ケース３９に固定される。そして、このように本体ケース３９とカバー４０を一体化することによってベース部材４３が構成され、このベース部材４３には切欠き部Ｓ１の壁面（底板部３９ａと側板部３９ｂ）とカバー４０で囲まれた凹所が画成されている。
【００２９】
図７〜図１０に示すように、球戻り防止部材４１は開閉弁４１ａと錘部４１ｂおよび規制弁４１ｃを有しており、開閉弁４１ａと規制弁４１ｃは錘部４１ｂを境にして略直交する方向へ突出している。開閉弁４１ａの基端側には軸孔４１ｄが設けられており、この軸孔４１ｄに挿通した支軸４４の両端を側板部３９ｂとカバー４０の各軸受部３９ｄ，４０ｂに係止することにより、ベース部材４３の凹所内に球戻り防止部材４１を回動可能に軸支した構成の球戻り防止機構３５が組み立てられる。
【００３０】
球戻り防止部材４１の開閉弁４１ａは矩形状の板状体であり、この開閉弁４１ａの先端側には幅方向の中央部に向かって窄まる一対のテーパ４１ｅが付けられており、これらテーパ４１ｅの間には凹部４１ｆが形成されている。規制弁４１ｃは開閉弁４１ａに比べて短寸の板状体であり、この規制弁４１ｃには先端側を開放して錘部４１ｂの近傍まで延びる切欠き溝４１ｇが形成されている。錘部４１ｂは開閉弁４１ａや規制弁４１ｃに比べて厚肉の重量体であり、この錘部４１ｂの幅方向の一端面には係合ピン４１ｈが突設されている。この係合ピン４１ｈは本体ケース３９の側板部３９ｂに形成されたガイド孔３９ｅに挿入され、球戻り防止部材４１の回動に伴ってガイド孔３９ｅ内を移動するようになっている。
【００３１】
図１１（ａ）に示すように、常態では、球戻り防止部材４１は錘部４１ｂの自重によって支軸４４を中心に一方向へ回動付勢されており、この付勢力を受けて係合ピン４１ｈがガイド孔３９ｅの一端部に当接しているため、球戻り防止部材４１は当該位置を初期位置として停止している。そして、このように球戻り防止部材４１が初期位置で停止している場合、開閉弁４１ａはベース部材４３の凹所の上面開口から発射案内通路３４の出口に向かって略垂直な姿勢で突出しており、開閉弁４１ａの先端は遊技球の直径よりも小さな間隔を存して外レール３２と対向している。また、規制弁４１ｃは発射案内通路３４から退去した略水平な姿勢に保持されており、規制弁４１ｃの先端は凹所の上面開口とほぼ同一面に位置している。
【００３２】
この状態で発射装置２３から正規の遊技球Ｂが遊技領域８に向かって発射されると、遊技球Ｂは発射案内通路３４を上昇しながら規制弁４１ｃを通過した後、図１１（ｂ）に示すように、遊技球Ｂは開閉弁４１ａを押し退けて遊技領域８内に進入する。これにより、球戻り防止部材４１は発射案内通路３４の出口を開放する方向（図１１の時計方向）へ回動し、開閉弁４１ａがストッパ壁３９ｃに衝突した時点で、球戻り防止部材４１はそれ以上の回動が規制されて最大開放角度に到達する。その際、球戻り防止部材４１の回動に連動して規制弁４１ｃが開閉弁４１ａよりも後方位置で発射案内通路３４の内部に突出し、規制弁４１ｃの先端は遊技球Ｂの直径よりも小さな間隔を存して外レール３２と対向する。なお、この間、係合ピン４１ｈはガイド孔３９ｅ内を一端部から他端部に向かって移動するが、球戻り防止部材４１が最大開放角度まで到達しても、係合ピン４１ｈがガイド孔３９ｅの他端部に接触しないように設定されているため、開閉弁４１ａの衝撃力によって係合ピン４１ｈが損傷する虞はない。
【００３３】
このようにして遊技球Ｂが戻り防止部材４１の開閉弁４１ａを押し退けて遊技領域８内に打ち出されると、球戻り防止部材４１は錘部４１ｂの付勢力を受けて逆方向（図１１の反時計方向）へ瞬時に回動復帰し、それに伴って係合ピン４１ｈがガイド孔３９ｅ内を他端部から一端部に向かって移動する。そして、係合ピン４１ｈがガイド孔３９ｅの一端部に当接すると、錘部４１ｂの付勢力による復帰方向の回動が規制されて初期位置に戻るため、図１１（ａ）に示すように、球戻り防止部材４１は再び開閉弁４１ａを発射案内通路３４の出口に対峙させた姿勢で停止し、それに伴って規制弁４１ｃも発射案内通路３４から凹所へ後退して退去位置に戻る。したがって、遊技領域８へ打ち出された遊技球Ｂが遊技釘等に衝突して跳ね戻されたとしても、この遊技球Ｂは発射案内通路３４の出口で開閉弁４１ａによって阻止される。
【００３４】
次に、遊技球Ｂに釣り糸等の紐状体４５を接着・固定して不正球（糸付き球）Ｂ１を作成し、かかる糸付き球Ｂ１を使用して遊技を行う場合について図１２を参照しつつ説明する。
【００３５】
不正行為を働こうとする者が糸付き球Ｂ１を上段受皿１３に投入して発射装置２３へ供給し、この糸付き球Ｂ１に繋がれた紐状体４５を手で持ったまま操作ハンドル１６を回動操作すると、前述した正規の遊技球Ｂと同様に、糸付き球Ｂ１は発射案内通路３４を上昇しながら規制弁４１ｃを通過して開閉弁４１ａに接触した後、その接触力で開閉弁４１ａを押し退けて遊技領域８内に進入する。その結果、図１２に示すように、糸付き球Ｂ１に繋がれた紐状体４５が開閉弁４１ａの先端に引っ掛かり、球戻り防止部材４１が糸付き球Ｂ１の自重を受けて開放状態を維持するため、規制弁４１ｃは開閉弁４１ａよりも後方位置で発射案内通路３４の内部に突出した状態を維持する。ここで、開閉弁４１ａの先端側の中央部に凹部４１ｆが形成されていると共に、この凹部４１ｆに向かって窄まる一対のテーパ４１ｅが付けられているため、紐状体４５はテーパ４１ｅに沿って凹部４１ｆ内に導かれることになり、紐状体４５が開閉弁４１ａの幅方向端部から外れてしまうことを確実に防止できる。しかも、規制弁４１ｃに先端側を開放して錘部４１ｂの近傍まで延びる切欠き溝４１ｇが形成されており、開閉弁４１ａの先端に引っ掛かった紐状体４５は切欠き溝４１ｇの底部に接触するため、紐状体４５と規制弁４１ｃとの接触箇所が切欠き溝４１ｇの溝深さ分だけ球戻り防止部材４１の回動中心（軸孔４１ｄ）に近づくことになる。したがって、この状態でパチンコ機Ｐの外部から紐状体４５を引っ張ったとしても、紐状体４５の引張力によって紐状体４５を復帰方向へ回動させることは極めて困難となり、球戻り防止部材４１の戻り動作を確実に防止することができる。
【００３６】
そして、このように糸付き球Ｂ１が遊技領域８内に打ち出されると、その後に発射装置２３から発射される遊技球は発射案内通路３４内に突出する規制弁４１ｃに衝突してしまうため、後続球を遊技領域８内に打ち出すことができなくなる。これにより、遊技球が遊技領域８のアウト口３１から排出されない状態を作り出すことができるため、不正行為を働こうとする者が紐状体４５を操って始動入賞口２５や一般始動入賞口２７に入賞させたとしても、これが不正入賞であると遊技場のホールコンピュータで容易に発見することが可能となり、糸付き球Ｂ１を用いて大量の賞球を獲得するという不正行為を実質的に無効とすることができる。
【００３７】
以上説明したように、本実施形態例に係るパチンコ機Ｐでは、球戻り防止部材４１に開閉弁４１ａと規制弁４１ｃが設けられており、紐状体４５の付いた遊技球（糸付き球）Ｂ１が発射されて開閉弁４１ａを押し退けて遊技領域８内に到達すると、糸付き球Ｂ１に繋がれた紐状体４５が開閉弁４１ａの先端に引っ掛かることにより、規制弁４１ｃが開閉弁４１ａよりも後方位置で発射案内通路３４の内部に突出した状態に維持されるため、その後に発射される遊技球は規制弁４１ｃに衝突して発射案内通路３４を通過することができなくなり、糸付き球Ｂ１を用いて大量の賞球を獲得するという不正行為を実質的に無効とすることができる。
【００３８】
また、規制弁４１ｃに先端側を開放した切欠き溝４１ｇが形成されており、開閉弁４１ａの先端に引っ掛かった紐状体４５が切欠き溝４１ｇの底部に接触することで、紐状体４５と規制弁４１ｃとの接触箇所が切欠き溝４１ｇの溝深さ分だけ球戻り防止部材４１の回動中心に近づくため、この状態でパチンコ機Ｐの外部から紐状体４５を引っ張ったとしても、紐状体４５の引張力によって紐状体４５を復帰方向へ回動させることが極めて困難となり、球戻り防止部材４１の戻り動作を確実に防止することができる。
【００３９】
また、開閉弁４１ａの先端側に幅方向の中央部に向かって窄まる一対のテーパ４１ｅが付けられていると共に、これらテーパ４１ｅで挟まれた間に凹部４１ｆが形成されており、糸付き球Ｂ１が開閉弁４１ａを押し退けて遊技領域８内に打ち出されると、糸付き球Ｂ１に繋がれた紐状体４５がテーパ４１ｅに沿って凹部４１ｆ内に導かれるるため、紐状体４５が開閉弁４１ａの幅方向端部から外れてしまうことを確実に防止できる。
【００４０】
なお、上記の実施形態例では、遊技盤７の遊技領域８に始動入賞口２５，２６やアタッカー装置２９等を設けたパチンコ機Ｐについて説明したが、本発明は遊技領域８にＶゾーンと呼ばれる特定領域を設けたパチンコ機についても適用可能である。
【符号の説明】
【００４１】
７  遊技盤
８  遊技領域
９  ガイドレール
１０  規制レール
１６  操作ハンドル
２３  発射装置（発射手段）
３２  外レール
３３  内レール
３４  発射案内通路
３５  球戻り防止機構
３９  本体ケース
３９ａ  底板部
３９ｂ  側板部
３９ｃ  ストッパ壁
３９ｄ  軸受部
３９ｅ  ガイド孔
４０  カバー
４１  球戻り防止部材
４１ａ  開閉弁
４１ｂ  錘部
４１ｃ  規制弁
４１ｄ  軸孔
４１ｅ  テーパ
４１ｆ  凹部
４１ｇ  切欠き溝
４１ｈ  係合ピン
【図１】
2014217619.tif 000003
【図２】
2014217619.tif 000004
【図３】
2014217619.tif 000005
【図４】
2014217619.tif 000006
【図５】
2014217619.tif 000007
【図６】
2014217619.tif 000008
【図７】
2014217619.tif 000009
【図８】
2014217619.tif 000010
【図９】
2014217619.tif 000011
【図１０】
2014217619.tif 000012
【図１１】
2014217619.tif 000013
【図１２】
2014217619.tif 000014